(57)【要約】【課題】構造が簡素で、かつ、操作性に優れた薄型の印鑑を提供する。【解決手段】印鑑１は、前印形面５ｃが設けられた前板状部３ａと、前板状部３ａの周面の一部から側方に延びる把手部２と、からなり、前板状部３ａと把手部２とは前弾性可撓部４ａを介して連設されているので、前印形面５ｃの側方において把手部２を横向きにした状態で把持し、前印形面５ｃを被押印面Ｕ上に位置決めした状態で前板状部３ａを上方から押圧することができることで、はっきりとした印影を形成することが可能となる。また、押印が完了すると、弾性可撓部４ａの弾性復帰力により前板状部３ａと把手部２とが板状に戻るため、収納性が向上する。【選択図】図４
2009248504.tif 000002
【特許請求の範囲】
【請求項１】
印形面が設けられた板状部と、
前記板状部の周面の一部から側方に延びる把手部と、
からなり、
前記板状部と前記把手部とは弾性可撓部を介して連設されていることを特徴とする印鑑。
【請求項２】
前記把手部における幅方向の両側縁部にグリップ部を形成したことを特徴とする請求項１に記載の印鑑。
【請求項３】
前記グリップ部を、前記弾性可撓部の近傍位置に設けたことを特徴とする請求項２に記載の印鑑。
【請求項４】
前記板状部は、透光性部材からなることを特徴とする請求項１ないし３のいずれかに記載の記載の印鑑。
【請求項５】
前記把手部、前記板状部及び前記弾性可撓部は、１枚の板状部材に形成されていることを特徴とする請求項１ないし４のいずれかに記載の印鑑。
【請求項６】
前記印形面の向きを、前記把手部の長手方向を向く軸線に対して所定角度傾斜させたことを特徴とする請求項１ないし５のいずれかに記載の印鑑。
【請求項７】
前記板状部を、前記把手部の両端側にそれぞれ設けたことを特徴とする請求項１ないし６のいずれかに記載の印鑑。
【発明の詳細な説明】
【技術分野】
【０００１】
本発明は、薄型の印鑑に関する。
【背景技術】
【０００２】
従来、この種の印鑑としては、例えば板状の取手４の先端に、薄板状の軸２（印形部）を支点３を中心として回転自在に取り付け、取手４を縦向きにすることで押印するとともに、使用しないときには、軸２と取手４とを板状にして携帯できるようにしたもの等がある（例えば、特許文献１参照）。
【０００３】
【特許文献１】特開平１０−２１７５２９号公報（第２頁、第３−４図）
【発明の開示】
【発明が解決しようとする課題】
【０００４】
しかしながら、上記特許文献１に記載の印鑑にあっては、押印する際において、軸２に対して取手４を縦向きにして下向きに力を加えるが、取手４が板状であるため下向きに力を加えにくいばかりか、軸２の側端面に設けられた支点３に負荷が集中するので、支点３が破損しやすく、また、構造が複雑になるので製造コストが嵩むという問題があった。
【０００５】
本発明は、このような問題点に着目してなされたもので、構造が簡素で、かつ、操作性に優れた薄型の印鑑を提供することを目的とする。
【課題を解決するための手段】
【０００６】
前記課題を解決するために、本発明の請求項１に記載の印鑑は、
印形面が設けられた板状部と、
前記板状部の周面の一部から側方に延びる把手部と、
からなり、
前記板状部と前記把手部とは弾性可撓部を介して連設されていることを特徴としている。
この特徴によれば、印形面の側方において把手部を横向きにした状態で把持し、該印形面を被押印面上に位置決めした状態で板状部を上方から押圧することができることで、はっきりとした印影を形成することが可能となる。また、弾性可撓部が撓むことで、板状部に対して把手部における板状部と反対側の端部を持ち上げた状態で把手部を把持することができるため、把手部を把持したまま印形面全域を被押印面に対して密接させることができるばかりか、把手部を把持したまま押印できるため、押印時の位置ずれが防止される。また、押印が完了すると、弾性可撓部の弾性復帰力により板状部と把手部とが板状に戻るため、収納性が向上する。
【０００７】
本発明の請求項２に記載の印鑑は、請求項１に記載の印鑑であって、
前記把手部における幅方向の両側縁部に、グリップ部を形成したことを特徴としている。
この特徴によれば、把手部を幅方向の両側から挟持するように把持する際における位置ずれが防止される。
【０００８】
本発明の請求項３に記載の印鑑は、請求項２に記載の印鑑であって、
前記グリップ部を、前記弾性可撓部の近傍位置に設けたことを特徴としている。
この特徴によれば、例えば左右いずれか一方の手の親指と中指でグリップ部を挟むように把持したまま人差し指を伸ばして板状部を押圧することができるため、操作性が向上する。
【０００９】
本発明の請求項４に記載の印鑑は、請求項１ないし３のいずれかに記載の印鑑であって、
前記板状部は、透光性部材からなることを特徴としている。
この特徴によれば、押印時における位置決めの際に、被押印面の位置を板状部の上方から該板状部を透して確認することができるため、位置決めがより容易になる。
【００１０】
本発明の請求項５に記載の印鑑は、請求項１ないし４のいずれかに記載の印鑑であって、
前記把手部、前記板状部及び前記弾性可撓部は、１枚の板状部材に形成されていることを特徴としている。
この特徴によれば、構造が簡素化されるので、製造コストを低減できる。
【００１１】
本発明の請求項６に記載の印鑑は、請求項１ないし５のいずれかに記載の印鑑であって、
前記印形面の向きを、前記把手部の長手方向を向く軸線に対して所定角度傾斜させたことを特徴としている。
この特徴によれば、使用者に対して把手部を縦向きにしなくても、斜めにした状態で押印することができる。
【００１２】
本発明の請求項７に記載の印鑑は、請求項１ないし６のいずれかに記載の印鑑であって、
前記板状部を、前記把手部の両端側にそれぞれ設けたことを特徴としている。
この特徴によれば、例えば２種類の印章（例えば通常印と訂正印等）を１つの印鑑に備えることができる。
【発明を実施するための最良の形態】
【００１３】
本発明に係る印鑑を実施するための最良の形態を実施例に基づいて以下に説明する。
【実施例】
【００１４】
本発明の実施例を図面に基づいて説明すると、先ず図１は、本発明の実施例における印鑑を示す上面図であり、図２は、印鑑を示す側断面図であり、図３は、印鑑を把持した状態を示す斜視図であり、図４は、印鑑の押印状態を示す側面図であり、図５は、印鑑の押印状態を示す平面図であり、図６（ａ）は、収納ケースを示す上面図であり、（ｂ）は、印鑑の収納状態を示す上面図である。以下、図１の上下側を印鑑の左右側とし、図２の上下側を印鑑の上下側とし、図２の左右側を印鑑の前後（正面及び背面）側として説明する。
【００１５】
本実施例の印鑑１は、図１及び図２に示されるように帯板状に形成された薄型の印鑑であり、特に図３及び図４に示されるように、印鑑１を横向きに把持した状態で板状の印形面を上方から指で押圧することにより押印するものである。
【００１６】
以下、印鑑１の詳細な構成を説明すると、まず図１及び図２に示されるように、透光性を有するとともに、帯板状に形成された薄肉の合成樹脂材からなる板状部材としての透明板６から主に構成されている。透明板６は、弾性変形可能に形成されているとともに、その前後端部には、下面に前印形部材５ａが固着された前板状部３ａと下面に後印形部材５ｂが固着された後板状部３ｂとがそれぞれ設けられているとともに、これら前板状部３ａと後板状部３ｂとの間には、上面及び下面に帯状の上化粧板７ａ及び下化粧板７ｂが固着されてなる把手部２が設けられている。このように１枚の透明板６に板状部３ａ、３ｂと把手部２が構成されることで、把手部２が、板状部３ａ、３ｂの周面の一部から側方に延びるように設けられる。
【００１７】
前印形部材５ａ及び後印形部材５ｂは透光性を有する硬質の合成樹脂材にて構成され、前印形部材５ａの下面には、通常印の印章（本実施例では「済」の文字）を形成する前印形面５ｃが形成され、後印形部材５ｂの下面には、訂正印の印章（本実施例では「訂正」の文字）を形成する後印形面５ｄが形成されている。このように、透明板６に印章が形成された前印形部材５ａ及び後印形部材５ｂが取り付けられているため、１つの印鑑１で２種類の印章を適宜選択して押印することができるようになっている。尚、印形面５ｃ、５ｄの印章は任意に変更可能である。
【００１８】
また、前印形面５ｃは、その形成された印章の向きが、把手部２の長手方向を向く軸線に対して所定角度（本実施例ではθ１＝約１５度）傾斜するように、透明板６に取り付けられており、押印の際において、把手部２を使用者に対して縦向きにしなくても、所定角度斜めにした状態で押印し易くすることができるようになっている。
【００１９】
上化粧板７ａ及び下化粧板７ｂのうち上化粧板７ａは透明板６よりも硬質で、かつ肉厚の板状部材からなり、上化粧板７ａ及び下化粧板７ｂが透明板６の上面及び下面に接着剤等により固着されることにより、把手部２の上下方向の肉厚を厚くしているとともに、把手部２が弾性変形しないようになっている。このように透明板６の上下面に上化粧板７ａ及び下化粧板７ｂを固着して把手部２を肉厚とし、かつ変形しないようにすることで、後述するように、使用者が把手部２を左右側から挟持したときの安定感が向上するようになっている。
【００２０】
また、上記のように前印形部材５ａ及び後印形部材５ｂと上化粧板７ａとが硬質材からなることで、前板状部３ａ，後板状部３ｂと把手部２とが弾性変形しないように構成されることで、把手部２と前板状部３ａとの間が透明板６のみからなる前弾性可撓部４ａとなり、把手部２と後板状部３ｂとの間が透明板６のみからなる後弾性可撓部４ｂとなっている。
【００２１】
把手部２における透明板６の一部、上化粧板７ａ及び下化粧板７ｂの各平面視形状は同形状になっており、把手部２における左右方向（幅方向）の両側端部には、内向きに湾曲して凹むグリップ部としての凹部８ａ，８ｂが夫々形成されており、図３に示されるように、把手部２を例えば右手で把手する場合には、親指の腹を凹部８ａに当接し、中指における親指側の側面部を凹部８ｂに当接しするように把手部２の左右幅方向の両側から挟持して把持することにより、凹部８ａ，８ｂ内に指が嵌まり込んで各指の前後側がガイドされるため、把手部２の前後方向（長手方向）への位置ずれを確実に防止することができる。
【００２２】
更に、凹部８ａ，８ｂは、前弾性可撓部４ａ及び後弾性可撓部４ｂの近傍位置（本実施例では前弾性可撓部４ａ及び後弾性可撓部４ｂから凹部８ａ，８ｂまでの距離Ｌがそれぞれ約１．５ｃｍ）に形成されていることで、使用者は、図３に示されるように、親指と中指とを凹部８ａ，８ｂに当てて把手部２を挟持した状態で、人指し指の第１関節の腹を前板状部３ａの上面に添えて、図４に示されるように、人指し指で前板状部３ａの上面を押し付けて押印することができる。すなわち、印鑑１を用いて片手で押印することができる。
【００２３】
尚、本実施例では、前弾性可撓部４ａ及び後弾性可撓部４ｂから凹部８ａ，８ｂまでの距離Ｌがそれぞれ約１．５ｃｍとされていたが、上記のように把手部２を把持した手の指で板状部３ａ、３ｂの上面を押圧可能に把持することが可能であれば、この距離Ｌは１．５ｃｍに限定されるものではなく、例えば約１０ｃｍ以内の任意の距離Ｌとしてもよい。
【００２４】
透明板６は、上記したように弾性変形可能な可撓性材質の合成樹脂材から成っているため、図４に示されるように、前弾性可撓部４ａが変形することによって、把手部２を前板状部３ａに対して所定角度θ２前後方向に傾けることできるようになっている。また、特に図示しないが、後弾性可撓部４ｂが変形することによって、把手部２を後板状部３ｂに対して所定角度前後方向に傾けることできるようになっている。
【００２５】
次に、本実施例における印鑑１の押印の方法の一例を説明する。尚、前印形面５ｃの印章を押印する方法や作用は後印形面５ｄの印章を押印する方法や作用と同一方法であるため、ここでは前印形面５ｃの印章を押印する方法についてのみ説明し、後印形面５ｄの印章を押印する方法や作用については、説明を省略することとする。
【００２６】
本実施例の印鑑１は、図３に示されるように、帯板状をなす印鑑１を、透明板６の下面が書類等の被押印面Ｕに対向するように横向きにした状態で、把手部２の幅方向の左右縁部に形成された凹部８ａ，８ｂに親指と中指とを側方から把持する。このとき、把手部２は上化粧板７ａ及び下化粧板７ｂにより透明板６よりも肉厚とされていることで、把手部２の幅方向の揺動が防止されるとともに、凹部８ａ，８ｂにより把手部２に対する指の前後方向への位置ずれが効果的に防止される。
【００２７】
次いで、図４及び図５に示されるように、把手部２を把持した状態で前印形面５ｃを被押印面Ｕに対して位置決めする。ここで、把手部２が前板状部３ａの周面の一部から側方に延びるように設けられていることで、把手部２を把持した手が前板状部３ａの側方に位置することになるため、把手部２を把持している状態でも、前板状部３ａの上面、つまり前印形面５ｃを押圧する押圧面の上方が開放されるため、位置決めが容易になるばかりか、押印の際に把手部２に力を加えることなく、前板状部３ａを直接上方から押圧することができるため、はっきりとした印影を形成することが可能となる。
【００２８】
さらに、前板状部３ａを構成する前印形部材５ａ及び透明板６が透明材で構成されていることで、前板状部３ａの上方から該前板状部３ａを透して被押印面Ｕの位置を確認することが可能となるので、より正確な位置決めができる。
【００２９】
また、図５に示されるように、前印形面５ｃの向きを、把手部２の長手方向を向く軸線Ｐに対してθ＝約１５度傾斜させていることにより、右手で押印する際に、使用者に対して把手部２を縦向きにしなくても、斜めにした状態で押印することができるため、押しやすい。
【００３０】
位置が決定したら、前印形面５ｃを被押印面Ｕに当接する。このとき、前弾性可撓部４ａを折り曲げて（撓ませて）、前板状部３ａに対して把手部２の後端側を上方に持ち上げるように傾けることで、把手部２の後端側を被押印面Ｕから離した状態で把手部２を把持することができる。
【００３１】
次いで、上方に開放されている前板状部３ａの上面を人指し指の腹で下側（図４中白抜矢印参照）に向かって押し付けることで、前印形面５ｃを被押印面Ｕに強く押し付けることができる。尚、ここでは片手で押印する方法を説明したが、例えば右手で把手部２を把持し、左手指で前板状部３ａの上面を押圧してもよい。
【００３２】
また、押印の終了後、前印形部材５ａを被押印面Ｕから離間することにより、前板状部３ａは、前弾性可撓部４ａの弾性復帰力により把手部２に対して平行をなすように戻り、印鑑１全体が板状に戻る（図２参照）。
【００３３】
以上に説明したように、実施例における印鑑１にあっては、前印形面５ｃの側方において把手部２を横向きにした状態で把持し、該前印形面５ｃを被押印面Ｕ上に位置決めした状態で前板状部３ａを上方から押圧することができることで、はっきりとした印影を形成することが可能となる。また、前弾性可撓部４ａが撓むことで、前板状部３ａに対して把手部２における前板状部３ａと反対側の端部である後端側を持ち上げた状態で把手部２を把持することができるため、把手部２を把持したまま前印形面５ｃ全域を被押印面Ｕに対して密接させることができるばかりか、把手部２を把持したまま押印できるため、押印時の位置ずれが防止される。
【００３４】
また、押印が完了すると、弾性可撓部の弾性復帰力により板状部と把手部とが板状に戻るため、例えば図６（ａ）に示されるような２つ折り自在の収納ケース９に形成された左側の収納ポケット９ａ内に印鑑１を収納し、図６（ｂ）に示されるように、収納ケース９を折り畳んでコンパクト化することができるため、携帯性が向上する。
【００３５】
尚、図６（ａ）に示されるように、収納ケース９の右側には、朱肉（朱肉部９ｄ）が添設された朱肉入り部材９ｃを収納する収納ポケット９ｂが形成されており、収納ポケット９ｂには、朱肉窓９ｅと、朱肉窓９ｅを開閉するカバー部９ｆと、が形成されていることにより、印鑑１の使用状態においてカバー部９ｆを捲り朱肉部９ｄを露出して朱肉を使用することができる。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例では、板状部材としての一枚の透明板６に、把手部２、前板状部３ａ（後板状部３ｂ）及び前弾性可撓部４ａ（後弾性可撓部４ｂ）が構成されていたが、これに限らず、把手部２、前板状部３ａ（後板状部３ｂ）及び前弾性可撓部４ａ（後弾性可撓部４ｂ）をそれぞれ別個の部材で構成してもよい。
【００３８】
また、前記実施例では、把手部２も帯板状に形成されていたが、板状部３ａ、３ｂの周面の一部から側方に延びるように設けられていれば、把手部２は必ずしも帯板状に形成されたものでなくてもよく、例えば柱状、筒状に形成されていてもよい。
【００３９】
また、前記実施例では、板状部３ａ、３ｂが把手部２の両端側に設けられていたが、一端側のみに設けられているものであってもよい。
【００４０】
また、前記実施例では、グリップ部は把手部２に形成された凹部８ａ，８ｂにて構成されているが、このような凹部を形成するものに限定されるものではなく、指の位置ずれを防止できるものであれば、例えばグリップテープ等を貼着したり、凹凸面を形成することでグリップ部を構成してもよい。
【図面の簡単な説明】
【００４１】
【図１】本発明の実施例における印鑑を示す上面図である。
【図２】印鑑を示す側断面図である。
【図３】印鑑を把持した状態を示す斜視図である。
【図４】印鑑の押印状態を示す側面図である。
【図５】印鑑の押印状態を示す平面図である。
【図６】（ａ）は、収納ケースを示す上面図であり、（ｂ）は、印鑑の収納状態を示す上面図である。
【符号の説明】
【００４２】
１                印鑑
２                把手部
３ａ              前板状部（板状部）
３ｂ              後板状部（板状部）
４ａ              前弾性可撓部（弾性可撓部）
４ｂ              後弾性可撓部（弾性可撓部）
５ｃ              前印形面（印形面）
５ｄ              後印形面（印形面）
８ａ              凹部（グリップ部）
８ｂ              凹部（グリップ部）
【図１】
2009248504.tif 000003
【図２】
2009248504.tif 000004
【図３】
2009248504.tif 000005
【図４】
2009248504.tif 000006
【図５】
2009248504.tif 000007
【図６】
2009248504.tif 000008